(57)【要約】      （修正有）【課題】基地局およびユーザ端末間で協調グループを設定する。【解決手段】基地局が、ユーザ端末のために選択された協調グループにおけるセルのセル識別子（ＩＤ）が付けられた協調グループ設定シグナリングを、前記ユーザ端末に送信し、ユーザ端末が、協調グループ設定シグナリングに付けられた、該ユーザ端末のために選択された協調グループにおけるセルのセルＩＤによって、協調グループ設定を行う。協調グループ設定シグナリングはＲＲＣ接続再設定シグナリングに含めて送信する。【選択図】図１
2011193441.tif 000002
【特許請求の範囲】
【請求項１】
協調グループ設定方法であって、
基地局は、ユーザ端末のために選択された協調グループにおけるセルのセル識別子（ＩＤ）が付けられた協調グループ設定シグナリングを、前記ユーザ端末に送信し、
ユーザ端末は、協調グループ設定シグナリングに付けられた、該ユーザ端末のために選択された協調グループにおけるセルのセルＩＤによって、協調グループ設定を行う、
ことを含むことを特徴とする方法。
【請求項２】
前記協調グループ設定シグナリングが、無線リソース制御（ＲＲＣ）接続再設定シグナリングに含まれる、
ことを特徴とする請求項１に記載の方法。
【請求項３】
前記協調グループ設定シグナリングは、モビリティ管理制御シグナリングである、
ことを特徴とする請求項２に記載の方法。
【請求項４】
前記基地局が協調グループ設定シグナリングをユーザ端末に送信することは、
ユーザ端末のために選択された協調グループにおけるセルのセルＩＤをターゲットセルＩＤフィルドとともに付けるための協調グループ指示フィルドを、モビリティ管理制御シグナリングに追加し、
協調グループ設定を行うことにとどめる場合、モビリティ管理制御シグナリングのターゲットセルＩＤフィルドおよび協調グループ指示フィルドを用いて、ユーザ端末のために選択された協調グループにおけるセルのセルＩＤを付け、
ユーザ端末に対しハンドオーバーするよう指示することにとどめる場合、モビリティ管理制御シグナリングのターゲットセルＩＤフィルドを用いて、ハンドオーバー先であるターゲットセルのセルＩＤを付けて、その協調グループ指示フィルドを空にし、
ユーザ端末に対しハンドオーバーするよう指示するとともに、協調グループ設定を行う場合、モビリティ管理制御シグナリングのターゲットセルＩＤフィルドを用いて、ハンドオーバー先であるターゲットセルのセルＩＤを付け、その協調グループ指示フィルドを用いて、ユーザ端末のために選択された協調グループにおけるターゲットセル以外のほかのセルのセルＩＤを付ける、
ことを含むことを特徴とする請求項３に記載の方法。
【請求項５】
前記ユーザ端末が、協調グループ設定シグナリングに付けられた、該ユーザ端末のために選択された協調グループにおけるセルのセル識別子（ＩＤ）によって、協調グループ設定を行うことは、
受信されたモビリティ管理制御シグナリングの協調グループ指示フィルドが空であるかどうかを判断し、
協調グループ指示フィルドが空である場合、受信されたモビリティ管理制御シグナリングがユーザ端末ハンドオーバー指示用のみであると判断して、モビリティ管理制御シグナリングに付けられたターゲットセルＩＤによって、ハンドオーバーを行い、
協調グループ指示フィルドが空ではない場合、受信されたモビリティ管理制御シグナリングが協調グループ設定用であると判断して、受信されたモビリティ管理制御シグナリングに付けられたターゲットセルＩＤが現在のサービングセルＩＤと一致するかどうかを判断し、
一致するとき、受信されたモビリティ管理制御シグナリングが協調グループ設定用のみであると判断して、モビリティ管理制御シグナリングに付けられたターゲットセルＩＤ、および協調グループ指示フィルドに含まれたセルＩＤによって、協調グループ設定を行い、
一致しないとき、受信されたモビリティ管理制御シグナリングが、ユーザ端末に対しハンドオーバーするよう指示するとともに、協調グループ設定を行うためのものであると判断して、モビリティ管理制御シグナリングに付けられたターゲットセルＩＤによって、ハンドオーバーを行い、さらに、協調グループ指示フィルドに含まれたセルＩＤによって、協調グループ設定を行う、
ことを含むことを特徴とする請求項４に記載の方法。
【請求項６】
前記基地局が協調グループ設定シグナリングをユーザ端末に送信することは、
ユーザ端末のために選択された協調グループにおけるセルのセルＩＤをターゲットセルＩＤフィルドとともに示すための協調グループ指示フィルドを、モビリティ管理制御シグナリングに追加し、
モビリティ管理制御シグナリングが受信された前後の該ユーザ端末の協調グループが変化するかどうかをユーザ端末へ示すための協調グループ無変化指示フィルドを、モビリティ管理制御シグナリングに追加し、
協調グループ設定を行うことにとどめる場合、モビリティ管理制御シグナリングのターゲットセルＩＤフィルドおよび協調グループ指示フィルドを用いて、ユーザ端末のために選択された協調グループにおけるセルのセルＩＤを付け、モビリティ管理制御シグナリングが受信された前後の該ユーザ端末の協調グループが変化することをユーザ端末へ示すように、協調グループ無変化指示フィルドを設定し、
ユーザ端末に対しハンドオーバーするよう指示することにとどめる場合、モビリティ管理制御シグナリングのターゲットセルＩＤフィルドを用いて、ハンドオーバー先であるターゲットセルのセルＩＤを付け、その協調グループ指示フィルドを空にし、モビリティ管理制御シグナリングが受信された前後の該ユーザ端末の協調グループが変化することをユーザ端末へ示すように、協調グループ無変化指示フィルドを設定し、
ユーザ端末に対しハンドオーバーするよう指示するとともに、ユーザ端末に対して、ハンドオーバー前と同じ協調グループを設定する場合、モビリティ管理制御シグナリングのターゲットセルＩＤフィルドを用いて、ハンドオーバー先であるターゲットセルのセルＩＤを付け、その協調グループ指示フィルドを空にし、モビリティ管理制御シグナリングが受信された前後の該ユーザ端末の協調グループが変化しないことをユーザ端末へ示すように、協調グループ無変化指示フィルドを設定し、
ユーザ端末に対しハンドオーバーするよう指示するとともに、ユーザ端末に対して、ハンドオーバー前と異なる協調グループを設定する場合、モビリティ管理制御シグナリングのターゲットセルＩＤフィルドを用いて、ハンドオーバー先であるターゲットセルのセルＩＤを付け、その協調グループ指示フィルドを用いて、ユーザ端末のために選択された協調グループにおけるターゲットセル以外のほかのセルのセルＩＤを付け、モビリティ管理制御シグナリングが受信された前後の該ユーザ端末の協調グループが変化することをユーザ端末へ示すように、協調グループ無変化指示フィルドを設定する、
ことを含むことを特徴とする請求項３に記載の方法。
【請求項７】
前記ユーザ端末が、協調グループ設定シグナリングに付けられた、該ユーザ端末のために選択された協調グループにおけるセルのセル識別子（ＩＤ）によって、協調グループ設定を行うことは、
受信されたモビリティ管理制御シグナリングの協調グループ指示フィルドが空であるかどうかを判断し、
協調グループ指示フィルドが空である場合、受信されたモビリティ管理制御シグナリングがユーザ端末ハンドオーバー指示用であると判断し、受信されたモビリティ管理制御シグナリングの協調グループ無変化指示フィルドをチェックし、
協調グループ無変化指示フィルドが、モビリティ管理制御シグナリングが受信された前後のユーザ端末の協調グループが変化しないことを示すとき、受信されたモビリティ管理制御シグナリングがユーザ端末ハンドオーバー指示用であり、かつ、ハンドオーバー前後のユーザ端末の協調グループが変化しないと判断し、次に、モビリティ管理制御シグナリングに付けられたターゲットセルＩＤによって、ハンドオーバーを行い、該ユーザ端末のハンドオーバー前の協調グループによって、協調グループ設定を行い、
協調グループ無変化指示フィルドが、モビリティ管理制御シグナリングが受信された前後のユーザ端末の協調グループが変化しないことを示すわけではないとき、受信されたモビリティ管理制御シグナリングがユーザ端末ハンドオーバー指示用のみであると判断し、次に、モビリティ管理制御シグナリングに付けられたターゲットセルＩＤによって、ハンドオーバーを行い、
協調グループ指示フィルドが空ではない場合、受信されたモビリティ管理制御シグナリングが協調グループ設定用であると判断し、モビリティ管理制御シグナリングに付けられたターゲットセルＩＤが、現在のサービングセルＩＤと一致するかどうかを判断し、
一致するとき、受信されたモビリティ管理制御シグナリングが協調グループ設定用のみであると判断し、モビリティ管理制御シグナリングに付けられたターゲットセルＩＤ、および協調グループ指示フィルドに含まれたセルＩＤによって、協調グループ設定を行い、
一致しないとき、受信されたモビリティ管理制御シグナリングが協調グループ設定用でもあり、ユーザ端末ハンドオーバー指示用でもあり、かつ、ハンドオーバー前後のユーザ端末の協調グループが変化すると判断し、モビリティ管理制御シグナリングに付けられたターゲットセルＩＤによって、ハンドオーバーを行い、さらに、協調グループ指示フィルドに含まれたセルＩＤによって、協調グループ設定を行う、
ことを含むことを特徴とする請求項６に記載の方法。
【請求項８】
前記協調グループ設定シグナリングは、新たに定義された協調グループ設定用の専用シグナリングである、
ことを特徴とする請求項２に記載の方法。
【請求項９】
モビリティ管理制御シグナリングが受信された前後の該ユーザ端末の協調グループが変化するかどうかをユーザ端末へ示すための協調グループ無変化指示フィルドを、前記協調グループ設定シグナリングに追加する、
ことをさらに含むことを特徴とする請求項８に記載の方法。
【請求項１０】
前記セルＩＤは、セルの物理セル識別子（ＰＣＩ）あるいはグローバルセル識別子（ＧＣＩまたはＥ−ＣＧＩ）である、
ことを特徴とする請求項１に記載の方法。
【請求項１１】
基地局であって、
ユーザ端末のために選択された協調グループにおけるセルのセル識別子（ＩＤ）が付けられた協調グループ設定シグナリングを生成する協調グループ設定シグナリング生成手段と、
生成された協調グループ設定シグナリングをユーザ端末に送信する協調グループ設定シグナリング送信手段と、
を含むことを特徴とする基地局。
【請求項１２】
前記協調グループ設定シグナリングは、モビリティ管理制御シグナリングである、
ことを特徴とする請求項１１に記載の基地局。
【請求項１３】
前記協調グループ設定シグナリング生成手段は、
ユーザ端末のために選択された協調グループにおけるセルのセルＩＤをターゲットセルＩＤフィルドとともに付けるための協調グループ指示フィルドを、モビリティ管理制御シグナリングに追加する協調グループ指示追加モジュールと、
ユーザ端末に対しハンドオーバーのみを行うよう指示する場合、モビリティ管理制御シグナリングにおけるターゲットセルＩＤフィルドを用いて、ハンドオーバー先であるターゲットセルＩＤを付け、協調グループ指示フィルドを空にし、ユーザ端末に対し協調グループ設定のみを行うよう指示する場合、モビリティ管理制御シグナリングにおけるターゲットセルＩＤフィルドおよび協調グループ指示フィルドを用いて、ユーザ端末のために選択された協調グループにおけるセルのセルＩＤを付け、ユーザ端末に対しハンドオーバーするよう指示するとともに、該ユーザ端末に対して協調グループを設定する場合、モビリティ管理制御シグナリングにおけるターゲットセルＩＤフィルドを用いて、ハンドオーバー先であるターゲットセルＩＤを付ける一方、その協調グループ指示フィルドを用いて、ユーザ端末のために選択された協調グループにおけるターゲットセル以外のほかのセルのセルＩＤを付ける協調グループ設定シグナリング生成モジュールと、
を含むことを特徴とする請求項１２に記載の基地局。
【請求項１４】
前記協調グループ設定シグナリング生成手段は、
ユーザ端末のために選択された協調グループにおけるセルのセルＩＤをターゲットセルＩＤフィルドとともに付けるための協調グループ指示フィルドを、モビリティ管理制御シグナリングに追加する協調グループ指示追加モジュールと、
モビリティ管理制御シグナリングが受信された前後のユーザ端末の協調グループが変化するかどうかをユーザ端末へ示すための協調グループ無変化指示フィルドを、モビリティ管理制御シグナリングに追加する協調グループ無変化指示追加モジュールと、
ユーザ端末に対しハンドオーバーのみを行うよう指示する場合、モビリティ管理制御シグナリングにおけるターゲットセルＩＤフィルドを用いて、ハンドオーバー先であるターゲットセルＩＤを付け、協調グループ指示フィルドを空にし、モビリティ管理制御シグナリングが受信された前後のユーザ端末の協調グループが変化することを示すように、協調グループ無変化指示フィルドの値を設定し、ユーザ端末に対し協調グループ設定のみを行うよう指示する場合、モビリティ管理制御シグナリングにおけるターゲットセルＩＤフィルドおよび協調グループ指示フィルドを用いて、ユーザ端末のために選択された協調グループにおけるセルのセルＩＤを付け、モビリティ管理制御シグナリングが受信された前後のユーザ端末の協調グループが変化することを示すように、協調グループ無変化指示フィルドの値を設定し、ユーザ端末に対しハンドオーバーするよう指示するとともに、該ユーザ端末に対して、ハンドオーバー前と同じ協調グループを設定する場合、モビリティ管理制御シグナリングにおけるターゲットセルＩＤフィルドを用いて、ハンドオーバー先であるターゲットセルＩＤを付け、協調グループ指示フィルドを空にし、モビリティ管理制御シグナリングが受信された前後のユーザ端末の協調グループが変化しないことを示すように、協調グループ無変化指示フィルドの値を設定し、ユーザ端末に対しハンドオーバーするよう指示するとともに、該ユーザ端末に対して、ハンドオーバー前と異なる協調グループを設定する場合、モビリティ管理制御シグナリングにおけるターゲットセルＩＤフィルドを用いて、ハンドオーバー先であるターゲットセルＩＤを付け、協調グループ指示フィルドを用いて、ユーザ端末のために選択された協調グループにおけるターゲットセル以外のほかのセルのセルＩＤを付け、モビリティ管理制御シグナリングが受信された前後のユーザ端末の協調グループが変化することを示すように、協調グループ無変化指示フィルドの値を設定する協調グループ設定シグナリング生成モジュールと、
を含むことを特徴とする請求項１２に記載の基地局。
【請求項１５】
ユーザ端末であって、
基地局から送信された協調グループ設定シグナリングを受信する協調グループ設定シグナリング受信手段と、
協調グループ設定シグナリングに付けられた、ユーザ端末のために選択された協調グループにおけるセルのセル識別子（ＩＤ）によって、協調グループ設定を行う協調グループ設定手段と、
を含むことを特徴とするユーザ端末。
【請求項１６】
前記協調グループ設定シグナリングは、モビリティ管理制御シグナリングである、
ことを特徴とする請求項１５に記載のユーザ端末。
【請求項１７】
前記協調グループ設定手段は、
受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用のみであると判断し、協調グループ指示フィルドが空ではない場合、受信されたモビリティ管理制御シグナリングが協調グループ設定用であると判断する第１の判断モジュールと、
モビリティ管理制御シグナリングが協調グループ設定用である場合、さらに、モビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断し、一致しないとき、受信されたモビリティ管理制御シグナリングが協調グループ設定用でもあり、ユーザ端末ハンドオーバー指示用でもあると判断する第２の判断モジュールと、
受信されたモビリティ管理制御シグナリングが協調グループ設定用である場合、モビリティ管理制御シグナリングに付けられたターゲットセルＩＤ、および協調グループ指示フィルドに含まれたセルＩＤによって、協調グループ設定を行う協調グループ設定モジュールと、
受信されたモビリティ管理制御シグナリングがユーザ端末ハンドオーバー指示用である場合、モビリティ管理制御シグナリングに付けられたターゲットセルＩＤによって、ハンドオーバーを行うハンドオーバーモジュールと、
を含むことを特徴とする請求項１６に記載のユーザ端末。
【請求項１８】
前記協調グループ設定手段は、
受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用であると判断し、協調グループ指示フィルドが空ではない場合、受信されたモビリティ管理制御シグナリングが協調グループ設定用であると判断する第１の判断モジュールと、
モビリティ管理制御シグナリングが協調グループ設定用である場合、さらに、モビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断し、一致しないとき、受信されたモビリティ管理制御シグナリングが協調グループ設定用でもあり、ユーザ端末ハンドオーバー指示用でもあり、かつ、ハンドオーバー前後のユーザ端末の協調グループが変化すると判断する第２の判断モジュールと、
モビリティ管理制御シグナリングがユーザ端末ハンドオーバー指示用である場合、受信されたモビリティ管理制御シグナリングの協調グループ無変化指示フィルドをチェックし、協調グループ無変化指示フィルドが、モビリティ管理制御シグナリングが受信された前後のユーザ端末の協調グループが変化しないことを示すとき、受信されたモビリティ管理制御シグナリングがユーザ端末ハンドオーバー指示用であり、かつ、ハンドオーバー前後のユーザ端末の協調グループが変化しないと判断し、協調グループ無変化指示フィルドが、モビリティ管理制御シグナリングが受信された前後のユーザ端末の協調グループが変化しないことを示すわけではないとき、受信されたモビリティ管理制御シグナリングがユーザ端末ハンドオーバー指示用のみであると判断する第３の判断モジュールと、
受信されたモビリティ管理制御シグナリングがユーザ端末ハンドオーバー指示用であり、かつ、ハンドオーバー前後のユーザ端末の協調グループが変化しない場合、ハンドオーバー前の協調グループによって、協調グループ設定を行う第１の協調グループ設定モジュールと、
受信されたモビリティ管理制御シグナリングが協調グループ設定用のみである場合、あるいは、受信されたモビリティ管理制御シグナリングが協調グループ設定用でもあり、ユーザ端末ハンドオーバー指示用でもあり、かつ、ハンドオーバー前後のユーザ端末の協調グループが変化する場合、モビリティ管理制御シグナリングに付けられたターゲットセルＩＤ、および協調グループ指示フィルドに含まれたセルＩＤによって、協調グループ設定を行う第２の協調グループ設定モジュールと、
受信されたモビリティ管理制御シグナリングがユーザ端末ハンドオーバー指示用である場合、モビリティ管理制御シグナリングに付けられたターゲットセルＩＤによって、ハンドオーバーを行うハンドオーバーモジュールと、
を含むことを特徴とする請求項１６に記載のユーザ端末。
【発明の詳細な説明】
【技術分野】
【０００１】
本発明は、移動通信技術分野に関し、特に、協調マルチポイント（ＣｏＭＰ：Ｃｏｏｐｅｒａｔｅｄ  Ｍｕｌｔｉ−Ｐｏｉｎｔ）技術を採用する場合での協調グループの設定方法および装置に関する。
【背景技術】
【０００２】
ＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎｓ  −  Ａｄｖａｎｃｅｄ）が、第４世代（４Ｇ）無線通信の定義として公認されている。ＩＭＴ−Ａを実現するために、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）では、特に、改善された長期的進化（ＬＴＥ−Ａ：Ｌｏｎｇ  Ｔｅｒｍ  Ｅｖｏｌｕｔｉｏｎ−Ａｄｖａｎｃｅｓ）システムが定義されている。ＬＴＥ−Ａでは、高いスペクトル効率、高いピーク速度、高いセル端性能、低い遅延時間、およびよりよいサービス品質（ＱｏＳ：Ｑｕａｌｉｔｙ  ｏｆ  Ｓｅｒｖｉｃｅ）保証などが要求される。
【発明の概要】
【発明が解決しようとする課題】
【０００３】
ＬＴＥ−Ａの高要求を満足するために、ＣｏＭＰがキー技術として導入されている。ＣｏＭＰとは、複数の協調ポイント（即ちセル）が共に協調して、ユーザにサービスする、ということを指す。各ユーザごとに、１つのサービングセルが設定されるだけではなく、若干のセルを含む１つの協調グループも設定される。協調グループにおけるセルは、ユーザとの間のデータ伝送に直接または間接に参加する。ＬＴＥ−Ａシステムでは、各ユーザのために協調グループを選択した後、相応のユーザへ、そのために選択された協調グループを示す。これにより、ユーザは、便利に協調グループにおける各セルのチャネル状態情報を測定してスケジューリングを行うことで、協調グループの設定を完成する。しかしながら、ＬＴＥ−Ａシステムでは、ＣｏＭＰ技術を採用する場合で、協調グループの設定を如何に行うかが提供されていない。
【課題を解決するための手段】
【０００４】
上記の技術的課題を解決するために、本発明では、接続モードにあるユーザに対して、協調グループ設定を行う協調グループ設定方法および装置が提供されている。
【０００５】
本発明の実施例に係る協調グループ設定方法は、基地局が、ユーザ端末のために選択された協調グループにおけるセルのセル識別子（ＩＤ）が付けられた協調グループ設定シグナリングを、前記ユーザ端末に送信し、ユーザ端末が、協調グループ設定シグナリングに付けられた、該ユーザ端末のために選択された協調グループにおけるセルのセルＩＤによって、協調グループ設定を行う、ことを含む。
【０００６】
上記協調グループ設定シグナリングは、無線リソース制御（ＲＲＣ）接続再設定シグナリングに含まれる。
【０００７】
上記協調グループ設定シグナリングは、モビリティ管理制御シグナリングである。
【０００８】
基地局が協調グループ設定シグナリングをユーザ端末に送信することは、ユーザ端末のために選択された協調グループにおけるセルのセルＩＤをターゲットセルＩＤフィルドとともに付けるための協調グループ指示フィルドを、モビリティ管理制御シグナリングに追加し、協調グループ設定を行うことにとどめる場合、モビリティ管理制御シグナリングのターゲットセルＩＤフィルドおよび協調グループ指示フィルドを用いて、ユーザ端末のために選択された協調グループにおけるセルのセルＩＤを付け、ユーザ端末に対しハンドオーバーするよう指示することにとどめる場合、モビリティ管理制御シグナリングのターゲットセルＩＤフィルドを用いて、ハンドオーバー先であるターゲットセルのセルＩＤを付けて、その協調グループ指示フィルドを空にし、ユーザ端末に対しハンドオーバーするよう指示するとともに、協調グループ設定を行う場合、モビリティ管理制御シグナリングのターゲットセルＩＤフィルドを用いて、ハンドオーバー先であるターゲットセルのセルＩＤを付け、その協調グループ指示フィルドを用いて、ユーザ端末のために選択された協調グループにおけるターゲットセル以外のほかのセルのセルＩＤを付ける、ことを含む。
【０００９】
ユーザ端末が、協調グループ設定シグナリングに付けられた、該ユーザ端末のために選択された協調グループにおけるセルのセル識別子（ＩＤ）によって、協調グループ設定を行うことは、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用のみであると判断して、モビリティ管理制御シグナリングに付けられたターゲットセルＩＤによって、ハンドオーバーを行い、協調グループ指示フィルドが空ではない場合、受信されたモビリティ管理制御シグナリングが協調グループ設定用であると判断して、受信されたモビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断して、モビリティ管理制御シグナリングに付けられたターゲットセルＩＤ、および協調グループ指示フィルドに含まれたセルＩＤによって、協調グループ設定を行い、一致しないとき、受信されたモビリティ管理制御シグナリングが、ユーザ端末に対しハンドオーバーするよう指示するとともに、協調グループ設定を行うためのものであると判断して、モビリティ管理制御シグナリングに付けられたターゲットセルＩＤによって、ハンドオーバーを行い、さらに、協調グループ指示フィルドに含まれたセルＩＤによって、協調グループ設定を行う、ことを含む。
【００１０】
基地局が協調グループ設定シグナリングをユーザ端末に送信することは、ユーザ端末のために選択された協調グループにおけるセルのセルＩＤをターゲットセルＩＤフィルドとともに示すための協調グループ指示フィルドを、モビリティ管理制御シグナリングに追加し、モビリティ管理制御シグナリングが受信された前後の該ユーザ端末の協調グループが変化するかどうかをユーザ端末へ示すための協調グループ無変化指示フィルドを、モビリティ管理制御シグナリングに追加し、協調グループ設定を行うことにとどめる場合、モビリティ管理制御シグナリングのターゲットセルＩＤフィルドおよび協調グループ指示フィルドを用いて、ユーザ端末のために選択された協調グループにおけるセルのセルＩＤを付け、モビリティ管理制御シグナリングが受信された前後の該ユーザ端末の協調グループが変化することをユーザ端末へ示すように、協調グループ無変化指示フィルドを設定し、ユーザ端末に対しハンドオーバーするよう指示することにとどめる場合、モビリティ管理制御シグナリングのターゲットセルＩＤフィルドを用いて、ハンドオーバー先であるターゲットセルのセルＩＤを付け、その協調グループ指示フィルドを空にし、モビリティ管理制御シグナリングが受信された前後の該ユーザ端末の協調グループが変化することをユーザ端末へ示すように、協調グループ無変化指示フィルドを設定し、ユーザ端末に対しハンドオーバーするよう指示するとともに、ユーザ端末に対して、ハンドオーバー前と同じ協調グループを設定する場合、モビリティ管理制御シグナリングのターゲットセルＩＤフィルドを用いて、ハンドオーバー先であるターゲットセルのセルＩＤを付け、その協調グループ指示フィルドを空にし、モビリティ管理制御シグナリングが受信された前後の該ユーザ端末の協調グループが変化しないことをユーザ端末へ示すように、協調グループ無変化指示フィルドを設定し、ユーザ端末に対しハンドオーバーするよう指示するとともに、ユーザ端末に対して、ハンドオーバー前と異なる協調グループを設定する場合、モビリティ管理制御シグナリングのターゲットセルＩＤフィルドを用いて、ハンドオーバー先であるターゲットセルのセルＩＤを付け、その協調グループ指示フィルドを用いて、ユーザ端末のために選択された協調グループにおけるターゲットセル以外のほかのセルのセルＩＤを付け、モビリティ管理制御シグナリングが受信された前後の該ユーザ端末の協調グループが変化することをユーザ端末へ示すように、協調グループ無変化指示フィルドを設定する、ことを含む。
【００１１】
ユーザ端末が、協調グループ設定シグナリングに付けられた、該ユーザ端末のために選択された協調グループにおけるセルのセル識別子（ＩＤ）によって、協調グループ設定を行うことは、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用であると判断し、受信されたモビリティ管理制御シグナリングの協調グループ無変化指示フィルドをチェックし、協調グループ無変化指示フィルドが、モビリティ管理制御シグナリングが受信された前後のユーザ端末の協調グループが変化しないことを示すとき、受信されたモビリティ管理制御シグナリングがユーザ端末ハンドオーバー指示用であり、かつ、ハンドオーバー前後のユーザ端末の協調グループが変化しないと判断し、次に、モビリティ管理制御シグナリングに付けられたターゲットセルＩＤによって、ハンドオーバーを行い、該ユーザ端末のハンドオーバー前の協調グループによって、協調グループ設定を行い、協調グループ無変化指示フィルドが、モビリティ管理制御シグナリングが受信された前後のユーザ端末の協調グループが変化しないことを示すわけではないとき、受信されたモビリティ管理制御シグナリングがユーザ端末ハンドオーバー指示用のみであると判断し、次に、モビリティ管理制御シグナリングに付けられたターゲットセルＩＤによって、ハンドオーバーを行い、協調グループ指示フィルドが空ではない場合、受信されたモビリティ管理制御シグナリングが協調グループ設定用であると判断し、モビリティ管理制御シグナリングに付けられたターゲットセルＩＤが、現在のサービングセルＩＤと一致するかどうかを判断し、一致するとき、受信されたモビリティ管理制御シグナリングが協調グループ設定用のみであると判断し、モビリティ管理制御シグナリングに付けられたターゲットセルＩＤ、および協調グループ指示フィルドに含まれたセルＩＤによって、協調グループ設定を行い、一致しないとき、受信されたモビリティ管理制御シグナリングが協調グループ設定用でもあり、ユーザ端末ハンドオーバー指示用でもあり、かつ、ハンドオーバー前後のユーザ端末の協調グループが変化すると判断し、モビリティ管理制御シグナリングに付けられたターゲットセルＩＤによって、ハンドオーバーを行い、さらに、協調グループ指示フィルドに含まれたセルＩＤによって、協調グループ設定を行う、ことを含む。
【００１２】
上記協調グループ設定シグナリングは、新たに定義された協調グループ設定用の専用シグナリングである。この場合、上記方法は、モビリティ管理制御シグナリングが受信された前後の該ユーザ端末の協調グループが変化するかどうかをユーザ端末へ示すための協調グループ無変化指示フィルドを、前記協調グループ設定シグナリングに追加する、ことをさらに含む。
【００１３】
上記セルＩＤは、セルの物理セル識別子（ＰＣＩ）あるいはグローバルセル識別子（ＧＣＩまたはＥ−ＣＧＩ）である。
【００１４】
本発明の実施例に係る基地局は、ユーザ端末のために選択された協調グループにおけるセルのセル識別子（ＩＤ）が付けられた協調グループ設定シグナリングを生成する協調グループ設定シグナリング生成手段と、生成された協調グループ設定シグナリングをユーザ端末に送信する協調グループ設定シグナリング送信手段と、を含む。
【００１５】
上記協調グループ設定シグナリングは、モビリティ管理制御シグナリングである。この場合、協調グループ設定シグナリング生成手段は、ユーザ端末のために選択された協調グループにおけるセルのセルＩＤをターゲットセルＩＤフィルドとともに付けるための協調グループ指示フィルドを、モビリティ管理制御シグナリングに追加する協調グループ指示追加モジュールと、ユーザ端末に対しハンドオーバーのみを行うよう指示する場合、モビリティ管理制御シグナリングにおけるターゲットセルＩＤフィルドを用いて、ハンドオーバー先であるターゲットセルＩＤを付け、協調グループ指示フィルドを空にし、ユーザ端末に対し協調グループ設定のみを行うよう指示する場合、モビリティ管理制御シグナリングにおけるターゲットセルＩＤフィルドおよび協調グループ指示フィルドを用いて、ユーザ端末のために選択された協調グループにおけるセルのセルＩＤを付け、ユーザ端末に対しハンドオーバーするよう指示するとともに、該ユーザ端末に対して協調グループを設定する場合、モビリティ管理制御シグナリングにおけるターゲットセルＩＤフィルドを用いて、ハンドオーバー先であるターゲットセルＩＤを付ける一方、その協調グループ指示フィルドを用いて、ユーザ端末のために選択された協調グループにおけるターゲットセル以外のほかのセルのセルＩＤを付ける協調グループ設定シグナリング生成モジュールと、を含む。
【００１６】
協調グループ設定シグナリング生成手段は、ユーザ端末のために選択された協調グループにおけるセルのセルＩＤをターゲットセルＩＤフィルドとともに付けるための協調グループ指示フィルドを、モビリティ管理制御シグナリングに追加する協調グループ指示追加モジュールと、モビリティ管理制御シグナリングが受信された前後のユーザ端末の協調グループが変化するかどうかをユーザ端末へ示すための協調グループ無変化指示フィルドを、モビリティ管理制御シグナリングに追加する協調グループ無変化指示追加モジュールと、ユーザ端末に対しハンドオーバーのみを行うよう指示する場合、モビリティ管理制御シグナリングにおけるターゲットセルＩＤフィルドを用いて、ハンドオーバー先であるターゲットセルＩＤを付け、協調グループ指示フィルドを空にし、モビリティ管理制御シグナリングが受信された前後のユーザ端末の協調グループが変化することを示すように、協調グループ無変化指示フィルドの値を設定し、ユーザ端末に対し協調グループ設定のみを行うよう指示する場合、モビリティ管理制御シグナリングにおけるターゲットセルＩＤフィルドおよび協調グループ指示フィルドを用いて、ユーザ端末のために選択された協調グループにおけるセルのセルＩＤを付け、モビリティ管理制御シグナリングが受信された前後のユーザ端末の協調グループが変化することを示すように、協調グループ無変化指示フィルドの値を設定し、ユーザ端末に対しハンドオーバーするよう指示するとともに、該ユーザ端末に対して、ハンドオーバー前と同じ協調グループを設定する場合、モビリティ管理制御シグナリングにおけるターゲットセルＩＤフィルドを用いて、ハンドオーバー先であるターゲットセルＩＤを付け、協調グループ指示フィルドを空にし、モビリティ管理制御シグナリングが受信された前後のユーザ端末の協調グループが変化しないことを示すように、協調グループ無変化指示フィルドの値を設定し、ユーザ端末に対しハンドオーバーするよう指示するとともに、該ユーザ端末に対して、ハンドオーバー前と異なる協調グループを設定する場合、モビリティ管理制御シグナリングにおけるターゲットセルＩＤフィルドを用いて、ハンドオーバー先であるターゲットセルＩＤを付け、協調グループ指示フィルドを用いて、ユーザ端末のために選択された協調グループにおけるターゲットセル以外のほかのセルのセルＩＤを付け、モビリティ管理制御シグナリングが受信された前後のユーザ端末の協調グループが変化することを示すように、協調グループ無変化指示フィルドの値を設定する協調グループ設定シグナリング生成モジュールと、を含む。
【００１７】
本発明の実施例に係るユーザ端末は、基地局から送信された協調グループ設定シグナリングを受信する協調グループ設定シグナリング受信手段と、協調グループ設定シグナリングに付けられた、ユーザ端末のために選択された協調グループにおけるセルのセル識別子（ＩＤ）によって、協調グループ設定を行う協調グループ設定手段と、を含む。
【００１８】
上記協調グループ設定シグナリングは、モビリティ管理制御シグナリングである。この場合、協調グループ設定手段は、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用のみであると判断し、協調グループ指示フィルドが空ではない場合、受信されたモビリティ管理制御シグナリングが協調グループ設定用であると判断する第１の判断モジュールと、モビリティ管理制御シグナリングが協調グループ設定用である場合、さらに、モビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断し、一致しないとき、受信されたモビリティ管理制御シグナリングが協調グループ設定用でもあり、ユーザ端末ハンドオーバー指示用でもあると判断する第２の判断モジュールと、受信されたモビリティ管理制御シグナリングが協調グループ設定用である場合、モビリティ管理制御シグナリングに付けられたターゲットセルＩＤ、および協調グループ指示フィルドに含まれたセルＩＤによって、協調グループ設定を行う協調グループ設定モジュールと、受信されたモビリティ管理制御シグナリングがユーザ端末ハンドオーバー指示用である場合、モビリティ管理制御シグナリングに付けられたターゲットセルＩＤによって、ハンドオーバーを行うハンドオーバーモジュールと、を含む。
【００１９】
協調グループ設定手段は、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用であると判断し、協調グループ指示フィルドが空ではない場合、受信されたモビリティ管理制御シグナリングが協調グループ設定用であると判断する第１の判断モジュールと、モビリティ管理制御シグナリングが協調グループ設定用である場合、さらに、モビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断し、一致しないとき、受信されたモビリティ管理制御シグナリングが協調グループ設定用でもあり、ユーザ端末ハンドオーバー指示用でもあり、かつ、ハンドオーバー前後のユーザ端末の協調グループが変化すると判断する第２の判断モジュールと、モビリティ管理制御シグナリングがユーザ端末ハンドオーバー指示用である場合、受信されたモビリティ管理制御シグナリングの協調グループ無変化指示フィルドをチェックし、協調グループ無変化指示フィルドが、モビリティ管理制御シグナリングが受信された前後のユーザ端末の協調グループが変化しないことを示すとき、受信されたモビリティ管理制御シグナリングがユーザ端末ハンドオーバー指示用であり、かつ、ハンドオーバー前後のユーザ端末の協調グループが変化しないと判断し、協調グループ無変化指示フィルドが、モビリティ管理制御シグナリングが受信された前後のユーザ端末の協調グループが変化しないことを示すわけではないとき、受信されたモビリティ管理制御シグナリングがユーザ端末ハンドオーバー指示用のみであると判断する第３の判断モジュールと、受信されたモビリティ管理制御シグナリングがユーザ端末ハンドオーバー指示用であり、かつ、ハンドオーバー前後のユーザ端末の協調グループが変化しない場合、ハンドオーバー前の協調グループによって、協調グループ設定を行う第１の協調グループ設定モジュールと、受信されたモビリティ管理制御シグナリングが協調グループ設定用のみである場合、あるいは、受信されたモビリティ管理制御シグナリングが協調グループ設定用でもあり、ユーザ端末ハンドオーバー指示用でもあり、かつ、ハンドオーバー前後のユーザ端末の協調グループが変化する場合、モビリティ管理制御シグナリングに付けられたターゲットセルＩＤ、および協調グループ指示フィルドに含まれたセルＩＤによって、協調グループ設定を行う第２の協調グループ設定モジュールと、受信されたモビリティ管理制御シグナリングがユーザ端末ハンドオーバー指示用である場合、モビリティ管理制御シグナリングに付けられたターゲットセルＩＤによって、ハンドオーバーを行うハンドオーバーモジュールと、を含む。
【発明の効果】
【００２０】
本発明に係る協調グループ設定方法および装置は、ＲＲＣ接続再設定シグナリングに含まれた協調グループ設定シグナリングを設計することにより、協調グループの設定機能を実現する。
【図面の簡単な説明】
【００２１】
【図１】本発明の実施例に係る協調グループ設定方法のフローチャートである。
【図２】実施例１において、接続モードにあるユーザ端末が協調グループ設定シグナリングを受信した後の処理過程を示す図である。
【図３】実施例２において、接続モードにあるユーザ端末が協調グループ設定シグナリングを受信した後の処理過程を示す図である。
【図４】本発明の実施例に係るｅＮＢの内部構成を示す図である。
【図５】本発明の実施例に係るユーザ端末の内部構成を示す図である。
【発明を実施するための形態】
【００２２】
以下、本分野の当業者にとって、本発明の上記および他の特徴とメリットがさらに明確になるように、図面を参照しながら、本発明の実施例を詳しく説明する。
【００２３】
接続モードにあるユーザ端末に対して協調グループ設定を行う課題を解決するために、本発明は、協調グループ設定シグナリングによって、協調グループ設定を行う方法を提供している。協調グループ設定シグナリングによって、ｅＮＢは、ユーザ端末に対し、該ユーザ端末のために選択された協調グループを通知することができる。これにより、ユーザ端末が協調グループにおける各セルのチャネル状態情報を測定してスケジューリングを行うことを便利にする。
【００２４】
図１は、本発明の実施例に係る協調グループ設定方法のフローチャートである。図１に示すように、本発明の実施例に係る協調グループ設定方法は、下記のステップを含んでもよい。
【００２５】
ステップ１０１で、基地局は、ユーザ端末のために選択された協調グループにおけるセルのセル識別子（ＩＤ）が付けられた協調グループ設定シグナリングを、該ユーザ端末に送信する。
【００２６】
ステップ１０２で、ユーザ端末は、協調グループ設定シグナリングに付けられた、該ユーザ端末のために選択された協調グループにおけるセルのセル識別子（ＩＤ）によって、協調グループ設定を行う。
【００２７】
通常の場合、家庭用基地局による物理セル識別子（ＰＣＩ：Ｐｈｙｓｉｃａｌ  Ｃｅｌｌ  ＩＤ）の混乱を考慮しないと、ＰＣＩをセルＩＤとして直接に使用することで、ｅＮＢの各セルを明らかに識別することができる。しかしながら、ＰＣＩの混乱を考慮すると、グローバルセル識別子（ＧＣＩ：Ｇｌｏｂａｌ  Ｃｅｌｌ  ＩＤ、またはＥ−ＣＧＩ：Ｅｎｈａｎｃｅｄ  Ｃｅｌｌ  Ｇｌｏｂａｌ  ＩＤ）をセルＩＤとして使用することで、ｅＮＢの各セルを識別することができる。
【００２８】
本発明の実施例において、接続モードにあるユーザ端末に対して協調グループ設定を行うために、新たなシグナリングを協調グループ設定シグナリングとして設計してもよく、既存のシグナリングを拡張して、拡張されたシグナリングが協調グループ設定シグナリングとしてもよい。
【００２９】
既存の無線リソース制御（ＲＲＣ：Ｒａｄｉｏ  Ｒｅｓｏｕｒｃｅ  Ｃｏｎｔｒｏｌ）シグナリングは、主に、測定設定制御シグナリング、モビリティ管理制御シグナリングおよび専用リソース設定制御シグナリングなどが含まれるＲＲＣ接続再設定（ＲＲＣ  ｃｏｎｎｅｃｔｉｏｎ  ｒｅｃｏｎｆｉｇｕｒａｔｉｏｎ）シグナリングが考えられる。モビリティ管理制御シグナリングは、ハンドオーバー過程に応用され、ターゲットセルＩＤをユーザ端末に通知するために用いられ、周波数間ハンドオーバーの場合、さらに、ターゲットセルのキャリア周波数をユーザ端末に通知する必要がある、ということが知られている。つまり、モビリティ管理制御シグナリングは、セルＩＤを示すことができる。従って、本発明の実施例において、モビリティ管理制御シグナリングを拡張することで、協調グループ設定の機能を実現することができる。
【００３０】
以下、具体的な例によって、本発明の異なる応用シナリオでの実施例を詳しく説明する。
【００３１】
（実施例１）
本実施例は、拡張されたモビリティ管理制御シグナリングを協調グループ設定シグナリングとして使用して、協調グループ設定の機能を実現する。
【００３２】
具体的に、本発明の実施例において、接続モードにあるユーザ端末に対して、協調グループ設定を行うために、ユーザ端末のために選択された協調グループにおけるセルのセルＩＤをターゲットセルＩＤフィルドとともに示すための１つの新たな協調グループ指示フィルドを、モビリティ管理制御シグナリングに追加する必要がある。こうすれば、拡張されたモビリティ管理制御シグナリングは、ユーザ端末に対しハンドオーバーするよう指示する既存の機能に加えて、ユーザ端末へ、該ユーザ端末のために選択された協調グループを示す新機能が追加される。このように、接続モードにあるユーザ端末に対して、協調グループ設定を行うことのみが必要である場合、モビリティ管理制御シグナリングのターゲットセルＩＤフィルドおよび協調グループ指示フィルドには、ユーザ端末のために選択された協調グループにおけるセルのセルＩＤを付ける。ユーザ端末に対しハンドオーバーするよう指示する必要があるとともに、該ユーザ端末に対して協調グループ設定を行う必要もある場合、モビリティ管理制御シグナリングのターゲットセルＩＤフィルドには、ハンドオーバー先であるターゲットセルのセルＩＤを付け、その協調グループ指示フィルドには、ユーザ端末のために選択された協調グループにおけるターゲットセル以外のほかのセルのセルＩＤを付けるようにしてもよい。一方、ユーザ端末に対しハンドオーバーするよう指示する必要があるが、該ユーザ端末に対して協調グループ設定を行う必要がない場合、モビリティ管理制御シグナリングのターゲットセルＩＤフィルドには、ハンドオーバー先であるターゲットセルのセルＩＤを付け、その協調グループ指示フィルドを空にするようにしてもよい。こうすれば、ユーザ端末は、モビリティ管理制御シグナリングを受信した後、受信されたモビリティ管理制御シグナリングの協調グループ指示フィルドが空であるかどうかを判断することにより、受信されたモビリティ管理制御シグナリングが協調グループ設定用であるかどうかを判断し、さらに、モビリティ管理制御シグナリングに付けられたターゲットセルＩＤが自局のサービングセルＩＤと一致するかどうかにより、ハンドオーバーを行う必要があるかどうかを判断することができる。
【００３３】
図２は、本実施例において、接続モードにあるユーザ端末がモビリティ管理制御シグナリングを受信した後の処理過程を示す。図２に示すように、接続モードにあるユーザ端末は、モビリティ管理制御シグナリングを受信した後、以下の処理を行う。
【００３４】
ステップ２０１で、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用のみであると判断して、ステップ２０２を実行し、協調グループ指示フィルドが空ではない場合、受信されたモビリティ管理制御シグナリングが協調グループ設定用であると判断して、ステップ２０３を実行する。
【００３５】
ステップ２０２で、モビリティ管理制御シグナリングに付けられたターゲットセルＩＤによって、ハンドオーバーを行う。
【００３６】
ステップ２０３で、受信されたモビリティ管理制御シグナリングに付けられたターゲットセルＩＤが現在のサービングセルＩＤと一致するかどうかを判断し、一致する場合、受信されたモビリティ管理制御シグナリングが協調グループ設定用のみであると判断して、ステップ２０４を実行し、一致しない場合、受信されたモビリティ管理制御シグナリングが、ユーザ端末に対しハンドオーバーするよう指示するとともに、協調グループ設定を行うためのものであると判断して、ステップ２０５を実行する。
【００３７】
ステップ２０４で、モビリティ管理制御シグナリングに付けられたターゲットセルＩＤ、および協調グループ指示フィルドに含まれたセルＩＤによって、協調グループ設定を行う。
【００３８】
ステップ２０５で、モビリティ管理制御シグナリングに付けられたターゲットセルＩＤによって、ハンドオーバーを行い、さらに、協調グループ指示フィルドに含まれたセルＩＤによって、協調グループ設定を行う。
【００３９】
以下、具体的な例によって、本発明の実施例に係る方法を詳しく説明する。下記の表１は、本発明の実施例の１つの応用シナリオを示す。表１に示すように、協調グループ１は、３つのセルを含み、この３つのセルのセルＩＤ（ＰＣＩ）が、それぞれ３０１、３０２および３０３である。協調グループ２も、３つのセルを含み、この３つのセルのセルＰＣＩが、それぞれ３０４、３０５および３０６である。ここで、セル１は、設定対象ユーザ端末のサービングセルである。
【００４０】
【表１】
2011193441.tif 000003
【００４１】
表１に示すような応用シナリオで、下記の３つの応用の場合が出現する可能性がある。場合（１）で、該ユーザ端末に対して協調グループを設定することにとどめる。場合（２）で、ユーザ端末に対しハンドオーバーするよう指示するにとどめる。場合（３）で、ユーザ端末に対しハンドオーバーするよう指示するとともに、該ユーザ端末に対して協調グループを設定する。
【００４２】
場合（１）では、例えば、ユーザ端末ハンドオーバー指示を行わないが、ユーザ端末に対して協調グループ１を設定する。この時、その中に付けられるターゲットセルＩＤが３０１であり、その協調グループ指示フィルドに含まれるセルＩＤが３０２および３０３であるモビリティ管理制御シグナリングを、該ユーザ端末に送信することができる。こうすれば、ユーザ端末は、モビリティ管理制御シグナリングを受信した後、協調グループ指示フィルドが空ではないと判断したことにより、受信されたモビリティ管理制御シグナリングが協調グループ設定用であると判断し、次に、ターゲットセルＩＤ３０１がサービングセルＩＤ３０１と同じであると判断したことにより、受信されたモビリティ管理制御シグナリングが協調グループ設定用のみであると判断し、さらに、モビリティ管理制御シグナリングの協調グループ指示フィルドに含まれたセルＩＤ３０２および３０３によって、設定される協調グループが、セル１、セル２およびセル３を含む協調グループ１であることを知り、次に、これによって、協調グループ設定を行う。
【００４３】
場合（２）では、例えば、ユーザ端末に対しセル１からセル４にハンドオーバーするよう指示する一方、ユーザ端末に対して協調グループを設定しない。この時、その中に付けられるターゲットセルＩＤが３０４であり、その協調グループ指示フィルドが空であるモビリティ管理制御シグナリングを、該ユーザ端末に送信することができる。この時、該ユーザ端末は、モビリティ管理制御シグナリングを受信した後、その協調グループ指示フィルドが空であると判断したことにより、受信されたモビリティ管理制御シグナリングがユーザ端末ハンドオーバー指示用のみであると判断することができ、その中に付けられたターゲットセルＩＤ３０４によって、ハンドオーバーを行う。
【００４４】
場合（３）では、例えば、ユーザ端末に対しセル１からセル２にハンドオーバーするよう指示するとともに、ユーザ端末に対して協調グループ１を設定する。この時、その中に付けられるターゲットセルＩＤが３０２であるが、その協調グループ指示フィルドに含まれるセルＩＤが３０１および３０３であるモビリティ管理制御シグナリングを、該ユーザ端末に送信することができる。こうすれば、該ユーザ端末は、モビリティ管理制御シグナリングを受信した後、協調グループ指示フィルドが空ではないと判断したことにより、受信されたモビリティ管理制御シグナリングが協調グループ設定用であると判断し、次に、ターゲットセルＩＤ３０２がサービングセルＩＤ３０１と異なると判断したことにより、受信されたモビリティ管理制御シグナリングが、ユーザ端末に対しハンドオーバーするよう指示するとともに、協調グループ設定を行うためのものであると判断し、こうすれば、さらに、モビリティ管理制御シグナリングの協調グループ指示フィルドに含まれたセルＩＤ３０１および３０３によって、ハンドオーバー先であるセルがセル２であるが、設定される協調グループが、セル１、セル２およびセル３を含む協調グループ１であることを知り、これによって、ハンドオーバーおよび協調グループ設定を行う。
【００４５】
上記の説明から分かるように、本実施例において、拡張されたモビリティ管理制御シグナリングを協調グループ設定シグナリングとして使用することは、シグナリングオーバーヘッドおよび既存のシグナリングへの影響を減少することができる。
【００４６】
上記の場合（３）で、即ち、ユーザ端末に対しハンドオーバーするよう指示するとともに、該ユーザ端末に対して協調グループを設定する必要がある場合で、ハンドオーバー前後でユーザ端末のために選択された協調グループが同じになる状況が出現する可能性がある。理論上、この状況で、ｅＮＢは、ユーザ端末へ、該ユーザ端末のために選択された協調グループを示す必要がなくなる。しかしながら、上記の実施例１では、この状況を区別しない。つまり、上記の実施例１において、ユーザ端末のために選択された協調グループが変化するかどうかに関わらず、ユーザ端末はハンドオーバーを行う必要がある限り、ユーザ端末へ送信されるモビリティ管理制御シグナリングの協調グループ指示フィルドには、協調グループにおけるターゲットセル以外のほかのセルのセルＩＤを再び付ける必要があり、シグナリングオーバーヘッドの浪費につながる。このため、本発明では、実施例２が提供されている。
【００４７】
（実施例２）
本実施例も、拡張されたモビリティ管理制御シグナリングを協調グループ設定シグナリングとして採用して、協調グループ設定の機能を実現する。
【００４８】
本発明の実施例において、モビリティ管理制御シグナリングには、協調グループ指示フィルドが追加されることを除いて、さらに、モビリティ管理制御シグナリングが受信された前後の該ユーザ端末の協調グループが変化するかどうかをユーザ端末へ示すための新たな協調グループ無変化指示フィルドが追加される。好ましくは、追加される協調グループ無変化指示フィルドの長さが１ｂｉｔである。この場合、協調グループ無変化指示フィルドの値が０であることは、協調グループが変化しないことを表すようにしてもよく、逆でもよい。
【００４９】
協調グループ設定を行うことにとどめる場合、モビリティ管理制御シグナリングのターゲットセルＩＤフィルドおよび協調グループ指示フィルドを用いて、ユーザ端末のために選択された協調グループにおけるセルのセルＩＤを付け、モビリティ管理制御シグナリングが受信された前後の該ユーザ端末の協調グループが変化することをユーザ端末へ示すように、協調グループ無変化指示フィルドを設定する。ユーザ端末に対しハンドオーバーするよう指示することにとどめる場合、モビリティ管理制御シグナリングのターゲットセルＩＤフィルドを用いて、ハンドオーバー先であるターゲットセルのセルＩＤを付け、その協調グループ指示フィルドを空にし、モビリティ管理制御シグナリングが受信された前後の該ユーザ端末の協調グループが変化することをユーザ端末へ示すように、協調グループ無変化指示フィルドを設定する。ユーザ端末に対しハンドオーバーするよう指示するとともに、ユーザ端末に対して、ハンドオーバー前と同じ協調グループを設定する場合、モビリティ管理制御シグナリングのターゲットセルＩＤフィルドを用いて、ハンドオーバー先であるターゲットセルのセルＩＤを付け、その協調グループ指示フィルドを空にし、モビリティ管理制御シグナリングが受信された前後の該ユーザ端末の協調グループが変化しないことをユーザ端末へ示すように、協調グループ無変化指示フィルドを設定する。一方、ユーザ端末に対しハンドオーバーするよう指示するとともに、ユーザ端末に対して、ハンドオーバー前と異なる協調グループを設定する場合、モビリティ管理制御シグナリングのターゲットセルＩＤフィルドを用いて、ハンドオーバー先であるターゲットセルのセルＩＤを付け、その協調グループ指示フィルドを用いて、ユーザ端末のために選択された協調グループにおけるターゲットセル以外のほかのセルのセルＩＤを付け、モビリティ管理制御シグナリングが受信された前後の該ユーザ端末の協調グループが変化することをユーザ端末へ示すように、協調グループ無変化指示フィルドを設定する。
【００５０】
上記の場合で、ユーザ端末は、受信されたモビリティ管理制御シグナリングの協調グループ無変化指示フィルドによって、モビリティ管理制御シグナリングが受信された前後の自局の協調グループが変化するかどうかを知ることができる。
【００５１】
図３は、本実施例において、接続モードにあるユーザ端末がモビリティ管理制御シグナリングを受信した後の処理過程を示す。図３に示すように、接続モードにあるユーザ端末は、モビリティ管理制御シグナリングを受信した後、以下の処理を行う。
【００５２】
ステップ３０１で、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用であると判断して、ステップ３０２を実行し、協調グループ指示フィルドが空ではない場合、受信されたモビリティ管理制御シグナリングが協調グループ設定用であると判断して、ステップ３０５を実行する。
【００５３】
ステップ３０２で、受信されたモビリティ管理制御シグナリングの協調グループ無変化指示フィルドをチェックし、協調グループ無変化指示フィルドが、モビリティ管理制御シグナリングが送信された前後のユーザ端末の協調グループが変化しないことを示す場合、受信されたモビリティ管理制御シグナリングがユーザ端末ハンドオーバー指示用であり、かつ、ハンドオーバー前後のユーザ端末の協調グループが変化しないと判断して、ステップ３０３を実行し、そうでない場合、受信されたモビリティ管理制御シグナリングがユーザ端末ハンドオーバー指示用のみであると判断して、ステップ３０４を実行する。
【００５４】
ステップ３０３で、モビリティ管理制御シグナリングに付けられたターゲットセルＩＤによって、ハンドオーバーを行い、該ユーザ端末のハンドオーバー前の協調グループによって、協調グループ設定を行う。
【００５５】
ステップ３０４で、モビリティ管理制御シグナリングに付けられたターゲットセルＩＤによって、ハンドオーバーを行う。
【００５６】
ステップ３０５で、受信されたモビリティ管理制御シグナリングに付けられたターゲットセルＩＤが現在のサービングセルＩＤと一致するかどうかを判断し、一致する場合、受信されたモビリティ管理制御シグナリングが協調グループ設定用のみであると判断して、ステップ３０６を実行し、一致しない場合、受信されたモビリティ管理制御シグナリングが協調グループ設定用でもあり、ユーザ端末ハンドオーバー指示用でもあり、かつ、ハンドオーバー前後のユーザ端末の協調グループが変化すると判断して、ステップ３０７を実行する。
【００５７】
ステップ３０６で、モビリティ管理制御シグナリングに付けられたターゲットセルＩＤ、および協調グループ指示フィルドに含まれたセルＩＤによって、協調グループ設定を行う。
【００５８】
ステップ３０７で、モビリティ管理制御シグナリングに付けられたターゲットセルＩＤによって、ハンドオーバーを行い、さらに、協調グループ指示フィルドに含まれたセルＩＤによって、協調グループ設定を行う。
【００５９】
以下、具体的な例によって、本発明の実施例に係る方法を詳しく説明する。
【００６０】
表１に示すような応用シナリオで、下記の４つの応用の場合が出現する可能性がある。場合（１）で、該ユーザ端末に対して協調グループを設定することにとどめる。場合（２）で、ユーザ端末に対しハンドオーバーするよう指示することにとどめる。場合（３）で、ユーザ端末に対しハンドオーバーするよう指示するとともに、該ユーザ端末に対して、ハンドオーバー前と同じ協調グループを設定する。場合（４）で、ユーザ端末に対しハンドオーバーするよう指示するとともに、該ユーザ端末に対して、ハンドオーバー前と異なる協調グループを設定する。
【００６１】
場合（１）では、例えば、ユーザ端末ハンドオーバー指示を行わないが、ユーザ端末に対して協調グループ１を設定する。この時、その中に付けられるターゲットセルＩＤが３０１であり、協調グループ無変化指示フィルドの値が１である（協調グループ無変化指示フィルドの値が０であることは、モビリティ管理制御シグナリングが受信された前後の協調グループが変化しないことを表す）が、その協調グループ指示フィルドに含まれるセルＩＤが３０２および３０３であるモビリティ管理制御シグナリングを、該ユーザ端末に送信することができる。こうすれば、該ユーザ端末は、モビリティ管理制御シグナリングを受信した後、まず、協調グループ指示フィルドが空ではないと判断したことにより、受信されたモビリティ管理制御シグナリングが協調グループ設定用であると判断し、次に、ターゲットセルＩＤ３０１がサービングセルＩＤ３０１と同じであると判断したことにより、受信されたモビリティ管理制御シグナリングが協調グループ設定用のみであると判断し、最後に、さらに、モビリティ管理制御シグナリングの協調グループ指示フィルドに含まれたセルＩＤ３０２および３０３によって、設定される協調グループが、セル１、セル２およびセル３を含む協調グループ１であることを知り、これによって、協調グループ設定を行う。
【００６２】
場合（２）では、例えば、ユーザ端末に対しセル１からセル４にハンドオーバーするよう指示する。この時、その中に付けられるターゲットセルＩＤが３０４であり、協調グループ無変化指示フィルドの値が１であり、その協調グループ指示フィルドが空であるモビリティ管理制御シグナリングを、該ユーザ端末に送信することができる。この時、該ユーザ端末は、モビリティ管理制御シグナリングを受信した後、その協調グループ指示フィルドが空であり、かつ、協調グループ無変化指示フィルドの値が１であると判断したことにより、受信されたモビリティ管理制御シグナリングがユーザ端末ハンドオーバー指示用のみであると判断することができ、次に、その中に付けられたターゲットセルＩＤ３０４によって、ハンドオーバーを行う。
【００６３】
場合（３）では、例えば、ユーザ端末に対しセル１からセル２にハンドオーバーするよう指示するとともに、ユーザ端末に対して、ハンドオーバー前と同じである協調グループ１を設定する。この時、その中に付けられるターゲットセルＩＤが３０２であり、協調グループ無変化指示フィルドの値が０であり、その協調グループ指示フィルドが空であるモビリティ管理制御シグナリングを、該ユーザ端末に送信することができる。こうすれば、該ユーザ端末は、モビリティ管理制御シグナリングを受信した後、まず、協調グループ指示フィルドが空であり、かつ、協調グループ無変化指示フィルドの値が０であると判断したことにより、受信されたモビリティ管理制御シグナリングが、ユーザ端末に対しハンドオーバーするよう指示するとともに、該ユーザ端末に対して、ハンドオーバー前と同じ協調グループを設定するためのものであると判断し、次に、ユーザ端末は、さらに、ターゲットセルＩＤ３０２、およびハンドオーバー前に設定された協調グループ１によって、ハンドオーバー先であるセルがセル２であり、設定される協調グループが、セル１、セル２およびセル３を含む協調グループ１であることを知り、これによって、ハンドオーバーおよび協調グループ設定を行う。
【００６４】
場合（４）では、例えば、ユーザ端末に対しセル１からセル４にハンドオーバーするよう指示するとともに、ユーザ端末に対して、ハンドオーバー前と異なる協調グループ２を設定する。この時、その中に付けられるターゲットセルＩＤが３０４であり、協調グループ無変化指示フィルドの値が１であるが、その協調グループ指示フィルドに含まれるセルＩＤが３０５および３０６であるモビリティ管理制御シグナリングを、該ユーザ端末に送信することができる。こうすれば、該ユーザ端末は、モビリティ管理制御シグナリングを受信した後、協調グループ指示フィルドが空ではないと判断したことにより、受信されたモビリティ管理制御シグナリングが協調グループ設定用であると判断し、次に、ターゲットセルＩＤ３０４がサービングセルＩＤ３０１と異なると判断したことにより、受信されたモビリティ管理制御シグナリングが、ユーザ端末に対しハンドオーバーするよう指示するとともに、協調グループ設定を行うためのものであると判断し、こうすれば、さらに、モビリティ管理制御シグナリングの協調グループ指示フィルドに含まれたセルＩＤ３０５および３０６により、ハンドオーバー先であるセルがセル４であり、設定される協調グループが、セル４、セル５およびセル６を含む協調グループ２であることを知り、これによって、ハンドオーバーおよび協調グループ設定を行う。
【００６５】
上記の説明から分かるように、本実施例においても、拡張されたモビリティ管理制御シグナリングを協調グループ設定シグナリングとして使用することは、シグナリングオーバーヘッドおよび既存のシグナリングへの影響を減少することができる。
【００６６】
（実施例３）
本実施例では、新たな協調グループ設定シグナリングを設計することにより、協調グループ設定の機能を実現する。つまり、新たに定義された協調グループ設定用の専用シグナリングを、協調グループ設定シグナリングとする。本実施例における協調グループ設定シグナリングは、ユーザ端末のために選択された協調グループにおけるセルのセルＩＤを示すための協調グループ指示フィルドを、少なくとも含む。ユーザ端末は、協調グループ指示フィルドが含まれる協調グループ設定シグナリングを受信した後、直接に、協調グループ指示フィルドに含まれたセルＩＤによって、自局のために選択された協調グループに含まれたセルを知り、これによって、協調グループ設定を行うことができる。
【００６７】
好ましくは、本発明の実施例において、上記の協調グループ設定シグナリングが、ＲＲＣ接続再設定シグナリングに含まれ、ＲＲＣ接続再設定シグナリングにおけるほかのシグナリングと互いに独立である。協調グループ設定を行う必要がある場合、ユーザ端末へ送信されるＲＲＣ接続再設定シグナリングには、上記の協調グループ設定シグナリングが含まれる。このように、ユーザ端末は、ＲＲＣ接続再設定シグナリングにおける協調グループ設定シグナリングを受信した後、その協調グループ指示フィルドに含まれたセルＩＤによって、協調グループ設定を行う。
【００６８】
本実施例に係る方法において、設計された新たな協調グループ設定シグナリングは、ＲＲＣ接続再設定シグナリングにおける１つのシグナリングである。ユーザ端末は、ＲＲＣ接続再設定シグナリングを受信した後、該シグナリングにおいて、協調グループ設定シグナリングが含まれるかどうかを判断することにより、協調グループ設定を行う必要があるかどうかを判断する。このように、従来のシステムとの互換性をよりよく実現できる。
【００６９】
具体的に、協調グループ設定とハンドオーバーとが同時に行われる場合、ＲＲＣ接続再設定シグナリングには、協調グループ設定シグナリングとモビリティ管理制御シグナリングとが同時に含まれてもよい。勿論、まず、モビリティ管理制御シグナリングが含まれるＲＲＣ接続再設定シグナリングを送信することにより、ユーザ端末に対しハンドオーバーするよう指示し、次に、ユーザ端末がターゲットセルに接続された後に、協調グループ設定シグナリングが含まれるＲＲＣ接続再設定シグナリングを送信することにより、協調グループ設定を行うようにしてもよい。
【００７０】
（実施例４）
本実施例において、新たな協調グループ設定シグナリングを設計することにより、協調グループ設定の機能を実現する。
【００７１】
協調グループ設定とハンドオーバーとを同時に行い、かつ、ハンドオーバー前後のユーザ端末の協調グループが変化しない状況について、本実施例における協調グループ設定シグナリングは、実施例３における協調グループ指示フィルドを除いて、協調グループ設定シグナリングが受信された前後のユーザ端末の協調グループが変化するかどうかを示すための協調グループ無変化指示フィルドも含む。好ましくは、協調グループ無変化指示フィルドの長さが１ｂｉｔである。例えば、協調グループ無変化指示フィルドの値が０であることは、協調グループが変化しないことを表すようにしてもよく、逆でもよい。
【００７２】
この場合で、ユーザ端末は、協調グループ指示フィルドを含む協調グループ設定シグナリングを受信した後、直接に、協調グループ指示フィルドに含まれたセルＩＤによって、自局のために選択された協調グループに含まれたセルＩＤを知ることができ、あるいは、直接に、協調グループ無変化指示フィルドの値によって、協調グループ設定シグナリングが受信された前後のユーザ端末の協調グループが変化しないことを知ることができる。
【００７３】
好ましくは、本発明の実施例において、上記の協調グループ設定シグナリングが、ＲＲＣ接続再設定シグナリングに含まれ、ＲＲＣ接続再設定シグナリングにおけるほかのシグナリングと互いに独立である。協調グループ設定を行う必要がある場合、ユーザ端末へ送信されるＲＲＣ接続再設定シグナリングには、上記の協調グループ設定シグナリングが含まれる。このように、ユーザ端末は、ＲＲＣ接続再設定シグナリングにおける協調グループ設定シグナリングを受信した後、その協調グループ指示フィルドに含まれたセルＩＤあるいは協調グループ無変化指示フィルドの値によって、協調グループ設定を行う。
【００７４】
本実施例に係る方法において、設計された新たな協調グループ設定シグナリングは、ＲＲＣ接続再設定シグナリングにおける１つのシグナリングである。ユーザ端末は、ＲＲＣ接続再設定シグナリングを受信した後、該シグナリングにおいて、協調グループ設定シグナリングが含まれるかどうかを判断することにより、協調グループ設定を行う必要があるかどうかを判断する。このように、従来のシステムとの互換性をよりよく実現できる。
【００７５】
具体的に、本実施例に係る協調グループ設定方法は、以下の３つの場合に適用される。即ち、場合（１）で、ユーザ端末に対して協調グループを設定することにとどめる。場合（２）で、ハンドオーバーするとともに、該ユーザ端末に対して、ハンドオーバー前と同じ協調グループを設定する。場合（３）で、ハンドオーバーするとともに、該ユーザ端末に対して、ハンドオーバー前と異なる協調グループを設定する。
【００７６】
上記の場合（１）では、協調グループ設定シグナリングが受信された前後のユーザ端末の協調グループが変化することを示すように、協調グループ設定シグナリングの協調グループ無変化指示フィルドを設定し、協調グループ指示フィルドを用いて、ユーザ端末のために選択された協調グループにおけるセルのセルＩＤを付けるようにしてもよい。
【００７７】
上記の場合（２）では、協調グループ設定シグナリングが受信された前後のユーザ端末の協調グループが変化しないことを示すように、協調グループ設定シグナリングの協調グループ無変化指示フィルドを設定して、協調グループ指示フィルドを空にするようにしてもよい。この場合、協調グループ設定シグナリングを搭載するＲＲＣ接続再設定シグナリングには、モビリティ管理制御シグナリングも含まれるべきである。
【００７８】
上記の場合（３）では、協調グループ設定シグナリングが受信された前後のユーザ端末の協調グループが変化することを示すように、協調グループ設定シグナリングの協調グループ無変化指示フィルドを設定し、協調グループ指示フィルドを用いて、ユーザ端末のために選択された協調グループにおけるセルのセルＩＤを付けるようにしてもよい。この場合、協調グループ設定シグナリングを搭載するＲＲＣ接続再設定シグナリングには、モビリティ管理制御シグナリングも含まれるべきである。
【００７９】
また、説明すべきものとして、本発明の実施例において、上記のセルＩＤは、セルのＰＣＩであってもよく、ＧＣＩまたはＥ−ＣＧＩであってもよい。
【００８０】
上記の実施例から分かるように、本発明の実施例では、多種多様な応用シナリオに適用される複数の協調グループ設定方法が提供され、接続状態にあるユーザ端末に対して、協調グループ設定を行うことができる。
【００８１】
そのほか、本発明の実施例は、上記の協調グループ設定方法を実現するｅＮＢおよびユーザ端末も提供している。ここで、図４に示すように、ｅＮＢの内部構成は、ユーザ端末のために選択された協調グループにおけるセルのセルＩＤが付けられた協調グループ設定シグナリングを生成する協調グループ設定シグナリング生成手段と、生成された協調グループ設定シグナリングをユーザ端末に送信する協調グループ設定シグナリング送信手段と、を含む。
【００８２】
図５に示すように、ユーザ端末の内部構成は、ｅＮＢから送信された協調グループ設定シグナリングを受信する協調グループ設定シグナリング受信手段と、協調グループ設定シグナリングに付けられた、ユーザ端末のために選択された協調グループにおけるセルのセルＩＤによって、協調グループ設定を行う協調グループ設定手段と、を含む。
【００８３】
上記の実施例１に係る協調グループ設定方法に対応して、上記のｅＮＢの協調グループ設定シグナリング生成手段の内部は、ユーザ端末のために選択された協調グループにおけるセルのセルＩＤをターゲットセルＩＤフィルドとともに付けるための協調グループ指示フィルドを、モビリティ管理制御シグナリングに追加する協調グループ指示追加モジュールと、ユーザ端末に対しハンドオーバーのみを行うよう指示する場合、モビリティ管理制御シグナリングにおけるターゲットセルＩＤフィルドを用いて、ハンドオーバー先であるターゲットセルＩＤを付け、協調グループ指示フィルドを空にし、ユーザ端末に対し協調グループ設定のみを行うよう指示する場合、モビリティ管理制御シグナリングにおけるターゲットセルＩＤフィルドおよび協調グループ指示フィルドを用いて、ユーザ端末のために選択された協調グループにおけるセルのセルＩＤを付け、ユーザ端末に対しハンドオーバーするよう指示するとともに、該ユーザ端末に対して協調グループを設定する場合、モビリティ管理制御シグナリングにおけるターゲットセルＩＤフィルドを用いて、ハンドオーバー先であるターゲットセルＩＤを付ける一方、その協調グループ指示フィルドを用いて、ユーザ端末のために選択された協調グループにおけるターゲットセル以外のほかのセルのセルＩＤを付ける協調グループ設定シグナリング生成モジュールと、を含んでもよい。
【００８４】
この場合、ユーザ端末の協調グループ設定手段の内部は、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用のみであると判断し、協調グループ指示フィルドが空ではない場合、受信されたモビリティ管理制御シグナリングが協調グループ設定用であると判断する第１の判断モジュールと、モビリティ管理制御シグナリングが協調グループ設定用である場合、さらに、モビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断し、一致しないとき、受信されたモビリティ管理制御シグナリングが協調グループ設定用でもあり、ユーザ端末ハンドオーバー指示用でもあると判断する第２の判断モジュールと、受信されたモビリティ管理制御シグナリングが協調グループ設定用である場合、モビリティ管理制御シグナリングに付けられたターゲットセルＩＤおよび協調グループ指示フィルドに含まれたセルＩＤによって、協調グループ設定を行う協調グループ設定モジュールと、受信されたモビリティ管理制御シグナリングがユーザ端末ハンドオーバー指示用である場合、モビリティ管理制御シグナリングに付けられたターゲットセルＩＤによって、ハンドオーバーを行うハンドオーバーモジュールと、を含んでもよい。
【００８５】
上記の実施例２に係る協調グループ設定方法に対応して、上記のｅＮＢの協調グループ設定シグナリング生成手段の内部は、ユーザ端末のために選択された協調グループにおけるセルのセルＩＤをターゲットセルＩＤフィルドとともに付けるための協調グループ指示フィルドを、モビリティ管理制御シグナリングに追加する協調グループ指示追加モジュールと、モビリティ管理制御シグナリングが受信された前後のユーザ端末の協調グループが変化しないことをユーザ端末へ示すための協調グループ無変化指示フィルドを、モビリティ管理制御シグナリングに追加する協調グループ無変化指示追加モジュールと、ユーザ端末に対しハンドオーバーのみを行うよう指示する場合、モビリティ管理制御シグナリングにおけるターゲットセルＩＤフィルドを用いて、ハンドオーバー先であるターゲットセルＩＤを付け、協調グループ指示フィルドを空にし、モビリティ管理制御シグナリングが受信された前後のユーザ端末の協調グループが変化することを示すように、協調グループ無変化指示フィルドの値を設定し、ユーザ端末に対し協調グループ設定のみを行うよう指示する場合、モビリティ管理制御シグナリングにおけるターゲットセルＩＤフィルドおよび協調グループ指示フィルドを用いて、ユーザ端末のために選択された協調グループにおけるセルのセルＩＤを付け、モビリティ管理制御シグナリングが受信された前後のユーザ端末の協調グループが変化することを示すように、協調グループ無変化指示フィルドの値を設定し、ユーザ端末に対しハンドオーバーするよう指示するとともに、該ユーザ端末に対して、ハンドオーバー前と同じ協調グループを設定する場合、モビリティ管理制御シグナリングにおけるターゲットセルＩＤフィルドを用いて、ハンドオーバー先であるターゲットセルＩＤを付け、協調グループ指示フィルドを空にし、モビリティ管理制御シグナリングが受信された前後のユーザ端末の協調グループが変化しないことを示すように、協調グループ無変化指示フィルドの値を設定し、ユーザ端末に対しハンドオーバーするよう指示するとともに、該ユーザ端末に対して、ハンドオーバー前と異なる協調グループを設定する場合、モビリティ管理制御シグナリングにおけるターゲットセルＩＤフィルドを用いて、ハンドオーバー先であるターゲットセルＩＤを付け、協調グループ指示フィルドを用いて、ユーザ端末のために選択された協調グループにおけるターゲットセル以外のほかのセルのセルＩＤを付け、モビリティ管理制御シグナリングが受信された前後のユーザ端末の協調グループが変化することを示すように、協調グループ無変化指示フィルドの値を設定する協調グループ設定シグナリング生成モジュールと、を含んでもよい。
【００８６】
この場合、ユーザ端末の協調グループ設定手段の内部は、受信されたモビリティ管理制御シグナリングの協調グループ指示フィルドが空であるかどうかを判断し、協調グループ指示フィルドが空である場合、受信されたモビリティ管理制御シグナリングがユーザ端末ハンドオーバー指示用であると判断し、協調グループ指示フィルドが空ではない場合、受信されたモビリティ管理制御シグナリングが協調グループ設定用であると判断する第１の判断モジュールと、モビリティ管理制御シグナリングが協調グループ設定用である場合、さらに、モビリティ管理制御シグナリングに付けられたターゲットセルＩＤが現在のサービングセルＩＤと一致するかどうかを判断し、一致するとき、受信されたモビリティ管理制御シグナリングが協調グループ設定用のみであると判断し、一致しないとき、受信されたモビリティ管理制御シグナリングが、協調グループ設定用でもあり、ユーザ端末ハンドオーバー指示用でもあり、かつ、ハンドオーバー前後のユーザ端末の協調グループが変化すると判断する第２の判断モジュールと、モビリティ管理制御シグナリングがユーザ端末ハンドオーバー指示用である場合、受信されたモビリティ管理制御シグナリングの協調グループ無変化指示フィルドをチェックし、協調グループ無変化指示フィルドが、モビリティ管理制御シグナリングが受信された前後のユーザ端末の協調グループが変化しないことを示すとき、受信されたモビリティ管理制御シグナリングがユーザ端末ハンドオーバー指示用であり、かつ、ハンドオーバー前後のユーザ端末の協調グループが変化しないと判断し、協調グループ無変化指示フィルドが、モビリティ管理制御シグナリングが受信された前後のユーザ端末の協調グループが変化しないことを示すわけではないとき、受信されたモビリティ管理制御シグナリングがユーザ端末ハンドオーバー指示用のみであると判断する第３の判断モジュールと、受信されたモビリティ管理制御シグナリングがユーザ端末ハンドオーバー指示用であり、かつ、ハンドオーバー前後のユーザ端末の協調グループが変化しない場合、ハンドオーバー前の協調グループによって、協調グループ設定を行う第１の協調グループ設定モジュールと、受信されたモビリティ管理制御シグナリングが協調グループ設定用のみである場合、あるいは、受信されたモビリティ管理制御シグナリングが協調グループ設定用でもあり、ユーザ端末ハンドオーバー指示用でもあり、かつ、ハンドオーバー前後のユーザ端末の協調グループが変化する場合、モビリティ管理制御シグナリングに付けられたターゲットセルＩＤ、および協調グループ指示フィルドに含まれたセルＩＤによって、協調グループ設定を行う第２の協調グループ設定モジュールと、受信されたモビリティ管理制御シグナリングがユーザ端末ハンドオーバー指示用である場合、モビリティ管理制御シグナリングに付けられたターゲットセルＩＤによって、ハンドオーバーを行うハンドオーバーモジュールと、を含んでもよい。
【００８７】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011193441.tif 000004
【図２】
2011193441.tif 000005
【図３】
2011193441.tif 000006
【図４】
2011193441.tif 000007
【図５】
2011193441.tif 000008